(57)【要約】【課題】カーリングの生じ易いフィルムを圧板に確実に吸着してフィルム平面性の向上を図ったフィルム平面保持構造を提供する。【解決手段】フィルムＦの背面に当接されてフィルムを平面状態に保持させるための圧板３１と、圧板３１の背後に区画形成されたエアー室３２と、エアー室のエアーを外部に排出してフィルムＦを圧板３１に吸着させる複数の吸気孔３３と、吸気孔３３を囲むように枠状に形成されて圧板３１との間にフィルムＦを押圧保持する押さえ手段１１０と、押さえ手段１１０の動作とエアー室３２のエアー排出動作を制御する制御手段とを備える。フィルムＦの周囲を押さえ手段１１０によって圧板３１に押圧して吸気孔３３とフィルムＦとの隙間を無くした上で、吸気孔３３でのフィルムＦの吸着を行い、フィルムを確実に吸着する。【選択図】  図３
2004258276.tif 000002
【特許請求の範囲】
【請求項１】
ロール状をしたフィルムの露光が行われる領域の背面に沿って配置され、当該フィルムの背面に当接されてフィルムを平面状態に保持させるための圧板と、前記圧板の背後に区画形成されたエアー室と、前記エアー室のエアーを外部に排出可能なエアー排出手段と、前記圧板に配設され、前記エアー室に連通されて前記フィルムを前記圧板に吸着させる複数の吸気孔と、少なくとも前記フィルムの長さ方向に直交する幅方向の前記エアー室の両側位置にそれぞれ配置されて前記圧板との間に前記フィルムを押圧保持する押さえ手段と、前記押さえ手段を動作制御する制御手段とを備え、前記制御手段は、少なくとも前記フィルムに対して露光を行う前に前記押さえ手段によって前記フィルムの幅方向の両側部を前記圧板に押圧保持し、その後前記エアー排出手段を駆動して前記フィルムを前記圧板に吸着する動作を行なわせるように構成されていることを特徴とするカメラのフィルム平面保持構造。
【請求項２】
前記押さえ手段は、前記露光が行われる領域及び前記吸気孔を囲むように矩形の枠状に形成されていることを特徴とする請求項１に記載のカメラのフィルム平面保持構造。
【請求項３】
前記押さえ手段は、前記露光が行われる領域及び前記吸気孔を前記フィルムの幅方向に挟む両側位置においてフィルムの長さ方向に延長された一対の直線レール状に形成されていることを特徴とする請求項１に記載のカメラのフィルム平面保持構造。
【請求項４】
前記押さえ手段は、前記フィルムに当接される面に弾性材を備えることを特徴とする請求項１ないし３のいずれかに記載のカメラのフィルム平面保持構造。
【請求項５】
前記押さえ手段は、前記圧板に対して押圧される位置と前記圧板から離反される位置との間で移動可能とされ、それぞれの位置に対応して設けられたソレノイドへの通電によって前記位置のいずれかに移動設定されることを特徴とする請求項１ないし４のいずれかに記載のカメラのフィルム平面保持構造。
【請求項６】
前記押さえ手段は前記各移動位置において自己保持されるように構成され、前記制御手段は前記押さえ手段を移動させるときにのみ前記ソレノイドに通電を行うように構成されていることを特徴とする請求項５に記載のカメラのフィルム平面保持構造。
【請求項７】
前記エアー排出手段はモータファンで構成されていることを特徴とする請求項１ないし６のいずれかに記載のカメラのフィルム平面保持構造。
【請求項８】
前記エアー排出手段は正逆転可能なモータファンで構成され、フィルムを吸着する際には前記エアー室のエアーを外部に排気する方向に回転駆動され、フィルムを移送する際には外部のエアーを前記エアー室に供給する前記と反対方向に回転可能に構成されていることを特徴とする請求項１ないし７のいずれかに記載のカメラのフィルム平面保持構造。
【発明の詳細な説明】
【０００１】
【発明の属する技術分野】
本発明はカーリングし易いフィルムを用いるカメラにおいて、当該フィルムの平面性を向上させるためのフィルム平面保持構造に関するものである。
【０００２】
【従来の技術】
３５ミリフィルムやブローニフィルム等のロールフィルムは巻き癖によってフィルムの平面性を確保することが難しく、フィルムに対して撮影を行ったときに当該巻き癖やカーリングによって撮影画像に歪やピンボケが生じてしまう。このようなフィルムの巻き癖やカーリング（以下、これらを総称してカーリングと称する）を解消してフィルムの平面性を確保するための技術として、従来から真空吸引を利用したフィルム平面保持技術が提案されている。
【０００３】
例えば、特許文献１では、フィルム吸引機構として、フィルムの露光領域の背後に沿って平坦に加工された圧板を配置し、この圧板の背後に流入空間を形成するとともに、当該圧板に流入空間に通じる吸気孔を開口する。また、この流入空間に吸入弁を介して連通される調圧室をゴム枠材を用いて形成し、モータの回転によって偏心軸を中心に回転体を回転させ、この回転体によってゴム枠材を押圧して調圧室の体積を変化させる吸引ポンプを構成している。この吸引ポンプの動作によって調圧室の体積が増加したときには調圧室に連通して設けられた排出弁を通してエアーを外部に排出し、体積が減少したときには吸入弁を通してエアーを調圧室に流入させることで、流入空間のエアー圧を低減させ、吸気孔によりフィルムを圧板に吸引して密着状態とし、フィルムの平面性を向上している。
【０００４】
また、特許文献２では、カメラのアパーチャに臨んで配設しているフィルムガイドレールに対して圧板を可動な構造し、この圧板を電磁マグネットによりフィルムガイドレールに押圧することでフィルムをフィルムガイドレールに圧着し、フィルムの平面性の保持を向上している。
【０００５】
【特許文献１】特開２００１−１８３７２９号公報
【特許文献２】特許第３２１５７３５号明細書
【０００６】
【発明が解決しようとする課題】
このように特許文献１の技術では、フィルムの平面性を向上する上で有効であるが、本発明者がさらなる研究を行ったところ、次のような改善すべき点が見いだされた。それは、特許文献１の技術では吸引動作が間欠駆動であるため、カーリングによるフィルムと圧板との隙間が大きい場合には、フィルムに対して吸引力が有効に機能しなくなり、フィルムを圧板に吸引できないことがある。十分な吸引力を得るために高速駆動するとゴム枠部の耐久性が問題となる。また、特許文献１の技術では、流入空間のエアー圧が時間の経過と共に減圧されて行くため、フィルム吸引動作の初期においてフィルムの一部にカーリングした部分が存在していると、フィルムがカーリングした状態のまま全ての吸気孔がフィルムによって塞がれて圧板に対して密着されてしまい、フィルムの可撓性及び剛性によってフィルムが平面方向に伸びながら圧板に密着しようとする性質（以下、この性質を自己整合性と称する）を期待することができなくなり、フィルムの平面性が逆に悪化してしまうことがある。
【０００７】
また、その一方で、フィルムがカーリングした状態のまま吸着されると、一部の吸気孔にはフィルムが密着しない状態が生じることがあり、この場合には当該吸気孔からエアー室にエアーが洩れ込んでしまい、エアー室の排気の効率が低下するとともに、吸気孔における吸着力が低下されてフィルムを吸着して平面性を向上させることが困難になってしまう。特に、ロールフィルムにはフィルムの長さ方向に波型となるカーリングが生じやすく、フィルムの長さ方向と直交するフィルムの幅方向に沿ってフィルムと圧板との間に隙間が生じて吸気孔が密着されない状態が生じ、フィルムの幅方向の両側部からエアーが洩れ易いものとなる。
【０００８】
この場合、フィルムが吸着されるまでポンプを継続して動作させると、電池の消耗が顕著になる。また、ポンプを継続して動作させてもフィルムと圧板との間の隙間が解消されない限りフィルムを吸着することが難しいため、その結果永久的にポンプが駆動してしまうことになり、フィルムの平面性を改善する効果が得られない反面で、電池の消費電力がいたずらに大きくなり、電池寿命が短くなるという問題が生じることになる。
【０００９】
また、特許文献２では、単にフィルムをフィルムガイドレールと圧板との間に挟持するのみであるため、フィルムガイドレールに接している領域の平面性は改善されるが、フィルムガイドレールに接していない露光領域の平面性を確保することが難しく、特許文献１の構成に比較して平面性が劣ることは避けられない。
【００１０】
本発明の目的は、フィルムの圧板への吸着を確実なものにしてフィルム平面性を向上したフィルム平面保持構造を提供するものである。
【００１１】
【課題を解決するための手段】
本発明は、ロール状をしたフィルムの露光が行われる領域の背面に沿って配置され、当該フィルムの背面に当接されてフィルムを平面状態に保持させるための圧板と、圧板の背後に区画形成されたエアー室と、エアー室のエアーを外部に排出可能なエアー排出手段と、圧板に配設され、エアー室に連通されてフィルムを圧板に吸着させる複数の吸気孔と、少なくともフィルムの長さ方向に直交する幅方向のエアー室の両側位置にそれぞれ配置されて圧板との間にフィルムを押圧保持する押さえ手段と、押さえ手段を動作制御する制御手段とを備えており、制御手段は、少なくともフィルムに対して露光を行う前に押さえ手段によってフィルムの幅方向の両側部を圧板に押圧保持し、その後エアー排出手段を駆動してフィルムを圧板に吸着する動作を行なわせるように構成されていることを特徴とする。
【００１２】
ここで、押さえ手段は露光が行われる領域及び吸気孔を囲むように矩形の枠状に形成される。あるいは、押さえ手段は露光が行われる領域及び吸気孔をフィルムの幅方向に挟む両側位置においてフィルムの長さ方向に延長された一対の直線レール状に形成される。この場合、押さえ手段はフィルムに当接される面に弾性材を備える構成とすることが好ましい。
【００１３】
本発明によれば、押さえ手段でフィルムを圧板に押圧保持することでフィルムのカーリングを無くすことができ、この状態でエアー室のエアーを排気してフィルムを圧板に吸着保持することで、フィルムのカーリングを無くした状態でフィルムを吸着することが可能になる。特に、ロールフィルムの長さ方向に沿って押さえ手段でフィルムを押圧することで、長さ方向に生じているフィルムのカーリングを確実に無くすことが可能になる。これにより、吸気孔によるフィルムの吸着効果を高め、フィルムの平面性の保持効果を高めることが可能になる。また、フィルムを迅速に吸着することができるため、少ない電力での吸着が可能になり、その分電池の消費も少なくなる。
【００１４】
【発明の実施の形態】
次に、本発明の実施形態を図面を参照して説明する。図１は本発明を３５ミリフィルム（１３５フィルム）を用いる一眼レフカメラに適用した実施形態の裏蓋を開いた状態の外観斜視図である。カメラボディ１は前面に撮影レンズ２が着脱可能に装着され、上面にはファインダ部１１、ＬＣＤ表示部１２、レリーズボタン１３、その他の各種スイッチ１４等が配設されている。また、カメラボディ１の左右方向の一側部にはカメラボディ１の背面に対して開閉可能な裏蓋３が図外のヒンジにより連結されている。前記カメラボディ１の背面には、左右の両端部にパトローネ室１０１とスプール室１０２が設けられており、このパトローネ室１０１とスプール室１０２の間にはフィルムに対して露光を行うためのアパーチャ１０３が配設されるとともに、このアパーチャ１０３の上下には３５ミリフィルムの幅寸法よりも若干大きい上下間隔を有してそれぞれ左右方向に延びる一対のガイドレール１０４が微小寸法で突出形成されている。
【００１５】
ここで、前記ガイドレール１０４は前記３５ミリフィルムＦの厚みよりも若干大きい寸法で突出されており、後述するように前記裏蓋を閉じたときに圧板の前面が当接され、カメラボディ１の背面と圧板との間に３５ミリフィルムが移送される微小間隙のトンネルを形成するようになっている。そして、前記パトローネ室１０１に装填されるパトローネＰ（図５参照）から引き出された３５ミリフィルムＦはガイドレール１０４によって幅方向（上下方向）が拘束されながら移送され、アパーチャ１０３に対向する位置で露光が行われ、さらにガイドローラ１０６で案内されながらスプール室１０２に内装されているスプール１０５に巻き上げられるようになっている。
【００１６】
一方、前記裏蓋３はヒンジを支点にして前記カメラボディ１の背面を開閉可能とされており、閉じたときには前記カメラボディ１の背面を遮光状態に覆うとともに、前記カメラボディ１の他側部に設けられた図外のロック機構によってカメラボディ１にロックされる。また、前記裏蓋３の内面の前記アパーチャ１０３に対応する領域には前面が平坦に加工された台状の圧板３１が一体的に設けられている。この圧板３１は前述のように前記ガイドレール１０４の先端面に当接されて３５ミリフィルムを移送させるための微小間隙のトンネルを形成するとともに、３５ミリフィルムＦに対して露光を行う際には当該３５ミリフィルムＦの背面に密接してフィルムの平面性を保持するようになっている。
【００１７】
また、前記圧板３１に対向する前記カメラボディ１には、前記アパーチャを囲むように矩形の枠状をした押さえ枠１１１を有する押さえ体１１０が配設されている。図２に概略構成の斜視図を示すように、この押さえ体１１０はフィルムＦをアパーチャ１０３の周囲において圧板３１の表面に押圧し、この押圧した部分においてフィルムＦを圧板３１に対して気密な状態で当接させるために設けられる。前記押さえ体１１０は前記押さえ枠１１１の表面に柔軟な樹脂、ゴム、スポンジ等の弾性材１１２が貼り付けてあり、この弾性材１１２はフィルムＦの平面方向に沿って若干の弾性変形が可能にされるとともに、フィルムＦの乳剤面を傷付けることがないように構成されている。前記押さえ体１１０は前記カメラボディ１の背面の前記アパーチャ１０３の周囲に沿って凹設された凹溝１１３内に収納される。また、前記押さえ体１１０の複数箇所、ここではフィルムＦの移送方向に向けられた上下の各辺の各中間位置にそれぞれカメラボディ１の前方に向けて磁性体からなる駆動ロッド１１４，１１５が一体的に突出形成され、これら駆動ロッド１１４，１１５に対応する前記凹溝１１３の内底面にはカメラボディ１の前方に向けてそれぞれソレノイド筒１１６，１１７が配設され、前記各駆動ロッド１１４，１１５はこれらソレノイド筒１１６，１１７内に軸方向に慴動可能に内挿支持されている。
【００１８】
図３（ａ）に前記駆動ロッド１１４，１１５とソレノイド筒１１６，１１７を含む面の縦断面図を示すように、前記各駆動ロッド１１４，１１５の長さ方向の一部にはロッド径寸法を増大した環状の係合突起１１４ａ，１１５ａが一体に形成される。また、前記ソレノイド筒１１６，１１７には筒軸方向に所要の間隔をおいてカメラボディの背面側の固定係合溝１１６ａ，１１７ａと前面側の解除係合溝１１６ｂ，１１７ｂが形成されており、前記駆動ロッド１１４，１１５が軸方向に慴動したときに前記係合突起１１４ａ，１１５ａが固定係合溝１１６ａ，１１７ａと解除係合溝１１６ｂ，１１７ｂのいずれか一方に係合されるようになっている。また、前記各ソレノイド筒１１６，１１７の外周には、前記一対の係合溝にそれぞれ対応してカメラボディの背面側の位置に固定ソレノイド１１８ａ，１１９ａが、またカメラボディの前面側の位置に解除ソレノイド１１８ｂ，１１９ｂがそれぞれ配設されている。
【００１９】
この構成の押さえ体１１０によれば、図３（ｂ）に示すように、各固定ソレノイド１１８ａ，１１９ａに同時に通電を行って励磁すると、各駆動ロッド１１４，１１５は固定ソレノイド１１８ａ，１１９ａに吸引されるため、駆動ロッド１１４，１１５と一体の押さえ体１１０がカメラボディの背面側に移動され、圧板３１の表面に押圧されるようになる。このとき、駆動ロッド１１４，１１５の係合突起１１４ａ，１１５ａが固定係合溝１１６ａ，１１７ａに係合されるため、その後に固定ソレノイド１１８ａ，１１９ａへの通電を解除しても押さえ体１１０のその状態は保持される。また、逆に解除ソレノイド１１８ｂ，１１９ｂに通電を行って励磁すると、図３（ａ）に示したように、駆動ロッド１１４，１１５は解除ソレノイド１１８ｂ，１１９ｂに吸引されるため、駆動ロッド１１４，１１５と一体の押さえ体１１０がカメラボディの前面側に移動され、圧板３１の表面の押圧から解除されるようになる。このとき、駆動ロッド１１４，１１５の係合突起１１４ａ，１１５ａが解除係合溝１１６ｂ，１１７ｂに係合されるため、その後に解除ソレノイド１１８ｂ，１１９ｂへの通電を解除しても押さえ体１１０のその状態は保持される。
【００２０】
前記裏蓋３の詳細を説明する。図４は前記裏蓋３を背面側から見たときの内部構成を透視的に見た概略図、図５は裏蓋を閉じた状態のカメラのほぼ中央高さ位置の概略断面図である。これらの図に示すように、前記裏蓋３には前記したように圧板３１が一体に形成されており、この圧板３１の背後で、かつ少なくとも前記アパーチャ１０３の寸法よりも大きな領域の裏蓋３の内部には、カメラの前後方向には小さい寸法をした矩形のエアー室３２が形成されている。そして、前記圧板３１の前面の少なくとも前記アパーチャ１０３に対向する領域には前記エアー室３２に連通される複数の微小径の吸気孔３３が点在配置されている。ここで、これらの吸気孔３３は前記押さえ体の枠内の領域にのみ配置されている。また、前記エアー室３２に隣接して前記パトローネ室１０１に対応する領域の裏蓋３の内部にはエアー室３２よりも外形寸法が小さくされたエアー通路３４がエアー室３２と連通状態に形成されている。このエアー通路３４には裏蓋３の背面に開口されたエアー排出口３５が配設されており、このエアー排出口３５にはモータを回転駆動源とするエアー排出手段としてのエアーファン（以下、モータファンと称する）３６が取り付けられ、モータファン３６の回転によってエアー通路３４を通して前記エアー室３２のエアーをエアー排出口３５から外部に強制排気できるようになっている。一方、モータファン３６は逆回転されたときにはカメラ外部のエアーをエアー排出口３５からエアー通路３４を通してエアー室３２に供給することが可能である。
【００２１】
前記エアー室３２とエアー通路３４との境界には、図６に一部を破断して示すように、矩形の枠３７１内に横断面が「く」字型をした複数のルーバ３７２を微小間隔で配列した遮光ルーバ３７が配設されており、エアー室３２とエアー通路３４との間のエアーの通流を可能にする一方で、エアー通路３４側から進入されてきた光がエアー室３２に漏れ込むことが無いようになっている。また、前記エアー排出口３５にはエアーを通流することが可能な一方で塵埃がエアー通路３４及びエアー室３２に侵入することを防止する防塵フィルタ３８が設けられている。
【００２２】
前記モータファン３６は、図７に示すように、矩形をしたケーシング３６１内に図には表れないモータ及び当該モータによって回転される送風羽根３６２が内装されたものであり、例えばコンピュータ等の冷却用ファンとして用いられる超小型のモータファンを利用することが可能である。また、前記モータファン３６には当該モータファン３６の回転速度を検出するためのインタラプタ３９が付設されている。このインタラプタ３９は、モータファン３６の回転軸３６３と一体に設けられ、円周一部に透孔３９２が開口された回転板３９１と、この回転板３９１を板厚方向に挟むように発光素子と受光素子を配置し、発光素子で発光された光を前記透光を通して受光素子で受光したときに電気信号を出力する光検出素子３９３とで構成されており、この光検出素子３９３から出力される電気信号のパルス周波数が回転軸３６３の回転速度に対応して変化することを利用してモータファン３６の回転速度の検出を行うものである。
【００２３】
このように、この実施形態のカメラでは、エアー排出手段としてのモータファン３６をカメラボディ１のアパーチャ１０３の背後に配置形成したエアー室３２には内装配置していないので、エアー室３２のカメラ前後方向（撮影レンズ２の光軸と平行方向）の寸法がモータファン３６によって増大されることはない。同時に、モータファン３６をパトローネ室１０１の背後に設けたカメラ前後方向の寸法が小さいエアー通路３４のエアー排出口３５に臨む位置に設けたことで、この領域におけるカメラ前後方向の寸法の増大も回避できる。この結果、カメラ全体の前後方向の寸法を抑制でき、小型カメラ、例えば、３５ミリフィルム用のカメラへの適用が可能になる。
【００２４】
図８は前記モータファン３６を含む前記カメラの電気回路構成、特にここでは本発明に関連する部分の回路構成を示すブロック図である。ＣＰＵ４０１には、メインスイッチ（電源スイッチ）４１１、レリーズボタン１３の半押し、全押で動作する測光スイッチ４１２及びレリーズスイッチ４１３、連写撮影を行う際にオンされる連写スイッチ４１４が接続される。また、測光回路４２１、測距回路４２２からの測光データ、測距データが入力されるとともに、前記レリーズボタン１３の押下操作に伴って、フィルム巻き上げ回路４３１、シャッタ回路４３２、絞り回路４３３、ＡＦ（自動焦点）回路４３４を制御して、巻き上げモータ４４１を駆動してフィルムの巻き上げ等のフィルム移送や、シャッタ装置４４２、絞り装置４４３、ＡＦ装置４４４を駆動してフィルムに対する露光を行うようになっている。さらに、ファン回路部４５０として、パルス幅に対応してモータファン３６に印加する電圧を制御するドライバＩＣ４５１により前記モータファン３６を駆動し、その一方でモータファン３６の回転速度を検出する前記インタラプタ３９の出力をＦ／Ｖ（周波数／電圧）変換器４５２によって電圧に変換し、変換した電圧をＡ／Ｄ（アナログ／デジタル）変換器４５３によってデジタル変換されたデータを取り込むようになっている。
【００２５】
また、前記押さえ体１１０を駆動するためのソレノイドに対する通電制御を行うための押さえ体制御部４６０が設けられている。図９はこの押さえ体制御部４６０の詳細回路図であり、押さえ体１１０の上下の駆動ロッド１１４，１１５に対応してそれぞれ設けられた固定ソレノイド１１８ａ，１１９ａと解除ソレノイド１１８ｂ，１１９ｂは固定ソレノイド同士と解除ソレノイド同士がそれぞれ並列に接続された上で、スイッチング素子としてのトランジスタＴｒ１，Ｔｒ２に接続されており、対応するトランジスタＴｒ１，Ｔｒ２のベースに接続された抵抗Ｒ１，Ｒ２にＣＰＵ４０１から所要の電圧を印加することで、当該トランジスタＴｒ１，Ｔｒ２をオン状態とし、対応するソレノイド１１８ａ，１１９ａ，１１８ｂ，１１９ｂへの通電を行うことが可能にされている。なお、後述するように、ＣＰＵ４０１は各トランジスタに対して一瞬だけ電圧を印加してオン状態とし、対応するソレノイドを励磁した後は、当該電圧の印加を停止して電池の消耗を抑制するようになっている。
【００２６】
図１０は前記カメラの撮影動作を説明するためのメインのフローチャートであり、カメラの撮影動作に必要とされる一連の動作のうち、撮影時におけるフィルムの平面性を保持する動作についてのみ示している。ここでは、既にフィルム巻き上げ回路４３１及びフィルム巻き上げモータ４４１によってフィルムの巻き上げに伴うフィルム先頭出しが行われており、あるいは前回の撮影後にフィルムの次に撮影する領域がアパーチャ１０３に対応する領域にまで巻き上げられているものとする。レリーズボタン１３が半押しされて測光スイッチ４１２がオンされると（Ｓ１０１）、連写スイッチ４１４の状態から連写撮影であるか否かが判定される（Ｓ１０２）。連写でない場合には、フィルム平面保持フローが行われる。
【００２７】
すなわち、フィルム平面保持フローは、先ずＣＰＵ４０１から押さえ体１１０を駆動するための固定ソレノイド１１８ａ，１１９ａに通電を行い、その後直ちに通電を停止する。この通電は固定ソレノイド１１８ａ，１１９ａに接続されているトランジスタＴｒ１のベース抵抗Ｒ１に電圧を供給し、トランジスタＴｒ１をオンして固定ソレノイド１１８ａ，１１９ａを励磁した後に、当該電圧の供給を停止するものであり、以下同様である。この固定ソレノイド１１８ａ，１１９ａへの通電により、押さえ体１１０の駆動ロッド１１４，１１５はカメラボディの背面側に移動されて図３（ａ）の状態から図３（ｂ）の状態になり、係合突起１１４ａ，１１５ａが固定係合溝１１６ａ，１１７ａに係合し、その後通電を停止してもその状態が保持される。このようにして上下の駆動ロッド１１４，１１５が移動することにより押さえ体１１０は圧板３１に向けて押圧され、これによりフィルムＦをアパーチャ１０３の周囲において圧板３１に押圧する。なお、フィルムＦの上辺に沿う領域での状態を図１１に示しており、図１１（ａ），（ｂ）はそれぞれ図３（ａ），（ｂ）に対応する。これにより、フィルムＦはアパーチャ１０３の周囲において圧板３１に気密状態に密着されることになり、同時に圧板３１のエアー室３２に開口されている全ての吸気孔３３を囲む状態となる。
【００２８】
次いで、ＣＰＵ４０１から予め設定された電圧パワーＰ１に対応するＰＷＭ（パルス幅変調）デューティ比のＰＷＭ信号がドライバＩＣ４５１に入力され、ドライバＩＣ４５１はこれを受けて当該ＰＷＭ信号のデューティ比に対応する電圧をモータファン３６に供給する。これにより、モータファン３６は正転方向に回転が開始され、徐々に回転数が増大されてＰＷＭ信号により設定された回転数に達する（Ｓ１０４）。これにより、エアー室３２のエアーは遮光ルーバ３７、エアー通路３４、防塵フィルタ３８を通してエアー排出口３５から外部に排出され、エアー室３２のエアー圧は徐々に減圧されて行く。したがって、エアー室３２のエアー圧の減圧に伴って、エアー室３２に開口されている吸気孔３３がフィルムの吸引動作を行うようになり、図３（ｃ）に示すように、アパーチャ１０３位置にあるフィルムＦは吸気孔３３によって吸引されて圧板３１に吸着され、平坦な圧板３１の表面にならってアパーチャ１０３に対応する領域のフィルム平面性が保持される。
【００２９】
このとき、フィルムＦはエアー室３２の吸気孔３３の周囲において押さえ体１１０によって圧板３１に押圧されているので、フィルムＦにカーリングが生じていた場合でも、この押圧された領域ではフィルムＦは圧板３１に密着されることになる。そのためエアー室３２のエアーを排出したときに吸気孔３３での吸引に際してフィルムＦと圧板３１との間からエアーが洩れることが防止され、吸気孔３３による吸着を確実に行うことができる。なお、このフィルムＦの吸着によってカーリング状態にあるフィルムＦは特にフィルムの長さ方向（移送方向）に伸びることになるが、押さえ体１１０の表面に設けられてフィルムに接している弾性材１１２の弾性変形によってこの伸びを吸収し、フィルムＦの平面性を確実なものとする。
【００３０】
以上のフィルム平面保持フローが終了すると、レリーズスイッチ４１３がオンされるか否かを判定し（Ｓ１０５）、オンされないときには、再度測光スイッチ４１２を確認し（Ｓ１０６）、測光スイッチ４１２がオンのときにはレリーズスッチ４１３がオンされるのを待機する。ここで、測光スイッチ４１２がオフされているときにもそのまま待機を継続してもよいが、ここでは一旦フィルムを自由状態に復帰させるフィルム押圧解除フローを行っている。すなわち、ＣＰＵ４０１からドライバＩＣ４５１に所要の信号を入力し、ドライバＩＣ４５１はこれを受けてモータファン３６の電圧の供給を停止する。これにより、モータファン３６は回転が停止される（Ｓ１０７）。次いで、ＣＰＵ４０１から押さえ体１１０を駆動する解除ソレノイド１１８ｂ，１１９ｂに通電を行い、その後直ちに通電を停止する。この解除ソレノイド１１８ｂ，１１９ｂへの通電により、駆動ロッド１１４，１１５はカメラボディの前面側に移動され、図３（ａ），図１１（ａ）に示したように、係合突起１１４ａ，１１５ａが解除係合溝１１６ｂ，１１７ｂに係合し、その後通電を停止してもその状態が保持される。この駆動ロッド１１４，１１５の移動により押さえ体１１０は圧板３１から離間されることになり、フィルムＦを圧板３１に押圧している状態が解除され、フィルムＦは自由な状態となる（Ｓ１０８）。これにより、フィルムＦは押さえ体１１０によって押さえられた状態が解除され、フィルムの巻き上げや巻き戻しが可能な状態となる。
【００３１】
一方、ステップＳ１０５においてレリーズボタン１３が全押しされてレリーズスイッチ４１３がオンされると、レリーズシーケンスを実行する（Ｓ１０９）。このレリーズシーケンスの詳細な説明は省略するが、ＣＰＵ４０１は測光回路４２１、測距回路４２２からの測定データに基づいて、シャッタ回路４３２、絞り回路４３３、ＡＦ回路４３４を制御し、シャッタ装置４４２、絞り装置４４３、ＡＦ装置４４４を駆動してフィルムに対する撮影を実行する。
【００３２】
なお、エアー排出口３５からエアー通路３４内に外部光が侵入しても、遮光ルーバ３７によってエアー室３２にまで侵入することが遮光されるため、外部光がエアー室３２から吸気孔３３を通してフィルムＦに露光されることは防止される。また、塵埃は防塵フィルタ３８によって遮断されるため、塵埃がエアー通路３４及びエアー室３２に侵入されることはなく、さらに吸気孔３３を通してカメラ内部にまで侵入されることはない。
【００３３】
露光が完了されると、前述と同様にモータファンの回転を停止し（Ｓ１１０）、エアー室３２のエアー排気を停止する。これにより、吸気孔３３によるフィルムＦの吸着は解除される。さらに、これに続いてフィルム押圧解除フローを実行する。このフィルム押圧解除フローは、ステップＳ１０８と同じであり、解除ソレノイド１１８ｂ，１１９ｂに通電を行うことで押さえ体１１０が圧板３１から離間される。これにより、押さえ体１１０によるフィルムＦの固定状態は解消され、フィルムＦは巻き上げ、巻き戻しが可能な状態となる。
【００３４】
次いで、連写であるか否かを判定し（Ｓ１１２）、連写でない場合にはフィルムフローティングフローを実行する。すなわち、ＣＰＵ４０１からドライバＩＣ４５１に予め設定されている逆極性のＰＷＭ信号を入力し、モータファン３６をそれまでとは逆の方向に逆転駆動する（Ｓ１１３）。これにより、外部のエアーはエアー排出口３５、エアー通路３４を通してエアー室３２に供給され、エアー室３２のエアー圧を大気圧以上にまで高める。このエアー室３２の圧力上昇によりエアー室３２内のエアーを吸気孔３３から吐出し、圧板３１の表面に接していたフィルムＦをエアーの吐出圧によって圧板３１の表面から離す。しかる後、ＣＰＵ４０１はフィルム巻き上げ回路４３１を制御し、巻き上げモータ４４１によりフィルムを１駒分巻き上げる（Ｓ１１４）。このとき、フィルムＦは圧板３１から離されているため、フィルムの巻き上げにおけるフィルムの移送に伴う負荷を軽減し、高速の巻き上げが可能になる。フィルムの移送が終了した後は、モータファン３６の駆動を停止し（Ｓ１１５）、フローを終了する。なお、ステップＳ１１２において連写の場合には、フィルムフローティングフローを行うことなくフィルム巻き上げステップＳ１１６を実行する。
【００３５】
ここで、前記実施形態では押さえ体１１０を枠状に形成しているが、通常のロールフィルムではカーリングはフィルムの長さ方向に沿って波型に生じることが殆どであり、カーリングによるフィルムＦと圧板３１との間に生じる隙間はフィルムの幅方向の両側部において生じることが多い。したがって、押さえ体をフィルムの幅方向の両側に対応する位置にのみ設けるようにしてもよい。図１２はこのような第２の実施形態の概略構成図であり、第１の実施形態の図２と等価な部分には同一符号を付してある。カメラボディ１のアパーチャ１０３の上下に設けられている一対のガイドレール１０４の内側に沿って、当該ガイドレール１０４と平行に直線レール状をした一対の押さえ体１２０，１３０を配設している。各押さえ体１２０，１３０はそれぞれ押さえバー１２１，１３１とその表面に貼り付けられた弾性体１２２，１３２とで構成され、図１に示したようなエアー室３２の吸気孔３３を上下に挟む位置に設けられている。また各押さえ体１２０，１３０はカメラボディ１の背面に前記ガイドレール１０４の内側に沿ってフィルムＦの移送方向に沿って延長された一対の凹溝１２３，１３３内にそれぞれ収容可能であり、また各押さえ体１２０，１３０には前記第１の実施形態と同様な駆動ロッド１１４，１１５と、この駆動ロッド１１４，１１５を位置規制するための固定係合溝１１６ａ，１１７ａ、解除係合溝１１６ｂ，１１７ｂを有するソレノイド筒１１６，１１７が設けられ、さらにこの周囲に駆動ロッド１１４，１１５を駆動するための固定ソレノイド１１８ａ，１１９ａ、解除ソレノイド１１８ｂ，１１９ｂが設けられていることは第１の実施形態と同様である。さらに、これらの固定ソレノイド１１８ａ，１１９ａと解除ソレノイド１１８ｂ，１１９ｂは図９に示したようにＣＰＵ４０１に電気接続されていることも同じである。
【００３６】
この構成においても、図１０に示したフローチャートと全く同様にして押さえ体１２０，１３０を移動させ、これら押さえ体１２０，１３０によってフィルムＦを圧板３１に押圧し、その後にエアー室３２のエアーを排出して吸気孔３３で吸着してフィルムＦの平面保持を行うことが可能である。ただし、この実施形態では押さえ体１２０，１３０によりフィルムＦを圧板３１に押圧したときには、フィルムＦの幅方向の両側であるエアー室３２の上下辺に沿ってフィルムＦを圧板３１に密着させるが、フィルムの長さ方向の両側においてはフィルムＦを圧板３１に押圧していない。しかし、前述のようにフィルムに生じるカーリングはフィルムの長さ方向に波型に生じるのが殆どであるため、実際にはフィルムＦの幅方向の両側においてフィルムＦを圧板３１に密着すればフィルムＦと圧板３１との間の隙間を閉じるのに十分であり、これだけでも吸気孔３３でのフィルム吸着に際しての洩れを抑制し、好適なフィルムの吸着が可能になる。
【００３７】
この第２の実施形態では、押さえ体１２０，１３０がフィルムＦに対してフィルム幅方向に横断した状態で接することがないため、第１の実施形態に比較してフィルムＦの乳剤面に対する接触面積を可及的に小さくでき、撮影画像への影響を抑える上で有利になる。また、このように押さえ体１２０，１３０がフィルムＦに接触する面積が小さくなることで、各ソレノイドへの通電量が同じでも押さえ体１２０，１３０によるフィルムを押圧する単位面積当たりの押圧力を高めることができ、フィルムの密着効果を高めることが可能になる。また、コマ間の非撮影領域が狭いため、フィルムの送りのばらつきによって押さえ体が撮影領域を押さえることもなく、このため乳剤面を傷つける心配がない。
【００３８】
ここで、前記第１の実施形態では、押さえ体１１０を上下辺の各中間部の各一か所においてそれぞれ支持しているが、四隅部において支持した上で、各支持部においてソレノイドにより駆動させるようにしてもよい。また、第２の実施形態では一対の押さえ体をそれぞれフィルムの移送方向の２か所においてそれぞれ支持するようにしてもよい。前記各実施形態をこのように構成すれば、ソレノイドの数が増えたことにより構造が若干複雑になるが、フィルムの長さ方向に対してフィルムを圧板に強固に押圧保持させることが可能になる。また、電池の消費電力を考慮しない場合には、押さえ体を自己保持構造とすることなく、ソレノイドへの通電を継続させながら押さえ体の移動位置を保持するようにしてもよい。
【００３９】
【発明の効果】
以上説明したように本発明は、圧板の吸気孔を囲む領域においてフィルムを圧板に押圧保持する枠状の押さえ手段と、押さえ手段及びエアー室を排気するためのエアー排出手段を動作制御する制御手段とを備えており、フィルムに対して露光を行う前にフィルムを押さえ手段によって圧板に保持させ、カーリングが原因とされる吸気孔とフィルムとの間の隙間を無くした状態でエアー排出手段を駆動してフィルムを圧板に吸着する動作を行なわせているので、吸気孔によるフィルムの吸着効果を高めることができる。特に、ロールフィルムの長さ方向に沿って押さえ手段でフィルムを押圧することで、長さ方向に生じているフィルムのカーリングを確実に無くすことが可能になる。これにより、吸気孔によるフィルムの吸着効果を高め、フィルムの平面性の保持効果を高めることが可能になる。また、フィルムを迅速に吸着することができるため、少ない電力での吸着が可能になり、その分電池の消費も少なくなる。
【図面の簡単な説明】
【図１】本発明の第１の実施形態のカメラの概略構成を示す斜視図である。
【図２】カメラボディの背面部の拡大部分分解斜視図である。
【図３】押さえ体のほぼ中央位置での縦断面図である。
【図４】裏蓋の透視的な斜視図である。
【図５】図１のカメラの概略構成の水平断面図である。
【図６】遮光ルーバの一部破断斜視図である。
【図７】モータファンの斜視図である。
【図８】カメラの主要部の電気回路構成を示す回路図である。
【図９】押さえ体制御部の回路構成を示す回路図である。
【図１０】本発明におけるフィルム平面保持動作のフローチャートである。
【図１１】フィルム平面保持動作を示す水平方向の断面図である。
【図１２】本発明の第２の実施形態の図２と同様の斜視図である。
【符号の説明】
１  カメラボディ
２  撮影レンズ
３  裏蓋
３１  圧板
３２  エアー室
３３  吸気孔
３６  モータファン
１０１  パトローネ室
１０２  スプール室
１０３  アパーチャ
１０５  スプール
１１０  押さえ体
１１１  押さえ枠
１１２  弾性体
１１４，１１５  駆動ロッド
１１６，１１７  ソレノイド筒
１１８ａ，１１９ａ  固定ソレノイド
１１８ｂ，１１９ｂ  解除ソレノイド
１２０，１３０  押さえ体
Ｆ  フィルム
Ｐ  パトローネ
【図１】
2004258276.tif 000003
【図２】
2004258276.tif 000004
【図３】
2004258276.tif 000005
【図４】
2004258276.tif 000006
【図５】
2004258276.tif 000007
【図６】
2004258276.tif 000008
【図７】
2004258276.tif 000009
【図８】
2004258276.tif 000010
【図９】
2004258276.tif 000011
【図１０】
2004258276.tif 000012
【図１１】
2004258276.tif 000013
【図１２】
2004258276.tif 000014